(57)【要約】      （修正有）【課題】持ち運びや分解・組立が容易であり、屋外での使用が可能なロウソク立てを簡易な構成で安価に提供する。【解決手段】略筒状の本体１０と、この本体１０に螺合する上蓋２０及び下蓋とを有し、上蓋２０は、その中央に空気孔２５が形成されており、下蓋は、下蓋上部３０ａと下蓋下部３０ｂとの二重構造に一体形成されており、下蓋上部３０ａには、その中央部にロウソクが差し込まれる設置針３５が立設されていると共に、その底面に複数の空気孔３０ａ１〜３０ａ４が周方向に沿って均等間隔で配置形成されており、下蓋下部３０ｂには、その側面に複数の空気孔３０ｂ１、ｂ３、ｂ４が周方向に沿って均等間隔で配置形成されている。【選択図】図１
0003225843.tif 000002
【実用新案登録請求の範囲】
【請求項１】
略筒状の本体と、この本体に螺合する上蓋及び下蓋とを有し、
前記上蓋は、その中央に空気孔が形成されており、
前記下蓋は、下蓋上部と下蓋下部との二重構造に一体形成されており、
前記下蓋上部には、その中央部にロウソクが差し込まれる設置針が立設されていると共に、その底面に複数の空気孔が周方向に沿って均等間隔で配置形成されており、
前記下蓋下部には、その側面に複数の空気孔が周方向に沿って均等間隔で配置形成されていることを特徴とするロウソク立て。
【考案の詳細な説明】
【技術分野】
【０００１】
本考案は、屋外での使用においても安定して炎を維持することができるロウソク立てに関するものである。
【背景技術】
【０００２】
従来、例えば、お墓参り等の際に、屋外でロウソク立てを使用した場合には、ロウソクの炎が直ぐに消えてしまうといった問題が生じていた。具体的には、市販されているロウソク立てでは空気孔が下方にあり、防風部材等もなく上部が開放されているので、自然風がロウソクに直接吹き付けられ易く、特に、強風時等ではロウソクの炎を屋外で安定して維持することが困難であった。
【考案の概要】
【考案が解決しようとする課題】
【０００３】
本考案は、上述のような従来技術の問題点に鑑みてなされたものであり、持ち運びや分解・組立が容易であり、屋外での使用が可能なロウソク立てを簡易な構成で安価に提供することを目的とする。
【課題を解決するための手段】
【０００４】
上記目的を達成するために、本考案に係るロウソク立ては、略筒状の本体と、この本体に螺合する上蓋及び下蓋とを有し、前記上蓋は、その中央に空気孔が形成されており、前記下蓋は、下蓋上部と下蓋下部との二重構造に一体形成されており、前記下蓋上部には、その中央部にロウソクが差し込まれる設置針が立設されていると共に、その底面に複数の空気孔が周方向に沿って均等間隔で配置形成されており、前記下蓋下部には、その側面に複数の空気孔が周方向に沿って均等間隔で配置形成されていることを特徴とするものである。
【０００５】
このように構成した場合には、分解・組立・清掃等が容易であり、かつ、屋外の使用においても炎を安定して維持することができるロウソク立てを簡易な構成で安価に実現することができる。
【０００６】
前記下蓋上部の空気孔と前記下蓋下部の空気孔とは、取付位相を異ならせてもよい。
【０００７】
このように構成した場合には、ロウソク立て内の空気流を減速させて、炎が消えるのを未然に防止すると共に、十分な空気量を循環供給することができる。
【考案の効果】
【０００８】
本考案によれば、分解・組立・清掃が容易であって、屋外の使用においても炎を安定して維持することができるロウソク立てを簡易な構成で安価に実現することができる。
【図面の簡単な説明】
【０００９】
【図１】本考案に係るロウソク立ての構成を示す模式的斜視図である。
【図２】本考案に係るロウソク立ての構成を示す分解組立図である。
【考案を実施するための形態】
【００１０】
以下、本考案の一実施の形態について、図１、図２を参照して説明する。
【００１１】
本考案に係るロウソク立て１は、図１及び図２に模式的に示すように、筒状の本体１０と、この筒状の本体１０の上部と螺合する上蓋２０と、筒状の本体１０の下部と螺合する下蓋３０とを備えている。
【００１２】
本実施の形態において、筒状の本体１０は、ガラス等の透明部材により形成されている。また、本実施の形態では、本体１０の形状として筒状の形態を例示しているが、略多角形状に形成しても差し支えなく、また、その材質も耐熱性を有する透明な部材であれば、ガラスの他に、耐熱性樹脂等任意の部材を採用することができる。
【００１３】
上蓋２０は、鉄又はステンレス等の強度部材で形成され、その中央部に貫通孔が空気孔２５として形成されている。また、本体１０と螺合可能なように、内側にねじ溝が施されている。
【００１４】
下蓋３０は、下蓋上部３０ａと下蓋下部３０ｂとを有する二重構造であり、下蓋上部３０ａと下蓋下部３０ｂとは一体に形成されている。なお、本実施の形態において、下蓋上部３０ａ及び下蓋下部３０ｂとは、上蓋２０と同様に、鉄又はステンレス等の強度部材で形成されている。
【００１５】
下蓋上部３０ａには、その中央に、図示しないロウソクを刺し込む、設置針２１が立設されており、底面には、上下方向に貫通する複数（本例では４か所）の空気孔３０ａ１〜３０ａ４が、周方向に沿って均等間隔（本例では９０°）で配置形成されている。
【００１６】
下蓋下部３０ｂには、その側面に、径方向に貫通する複数（本例では４か所）の空気孔３０ｂ１〜３０ｂ４が、周方向に沿って均等間隔（本例では９０°）で配置形成されている。
【００１７】
本実施の形態に係るロウソク立て１を用いる場合には、図２に良く示されるように、まず、下蓋上部３０ａ及び下蓋下部３０ｂを一体に形成し、さらに、下蓋３０（下蓋上部３０ａ）の設置針３５に図示しないロウソクを設置する（差し込む）。なお、本実施の形態に係るロウソク立て１では、構成部材単位（本体１０、上蓋２０、下蓋３０）に分解可能なので、現場での組立・清掃が容易に可能となる。そして、任意の場所にてロウソクを設置針３５に取り付けた状態で、本体１０を下蓋３０にねじ込み、さらに、上蓋２０を本体１０にねじ込む。その後、空気孔２５よりロウソクに着火する。
【００１８】
なお、着火のタイミングとしては、ロウソクを設置針３５に取り付けた時点や、ロウソクを本体１０に収容した時点等、任意のタイミングで着火することが可能であるが、着火後のロウソクの炎を安定して維持するという観点からは、上蓋２０取付後に着火することが好ましい。
【００１９】
また、本実施の形態において、下蓋上部３０ａの空気孔３０ａ１〜３０ａ４と下蓋下部３０ｂの空気孔３０ｂ１〜３０ｂ４とは、互いにその位相が異なる（例えば、４５°）ように配置形成することが好ましい。このように、上下の空気孔３０ａ１〜３０ａ４，３０ｂ１〜３０ｂ４の貫通方向を異ならせると共に、その配置に位相差を設けることにより、ロウソク立て１内の空気流を減速させて、炎が消えるのを未然に防止すると共に、十分な空気量を循環供給することができ、屋外使用における炎の安定化に寄与することができる。
【００２０】
以上説明したように、本考案に係るロウソク立て１によれば、屋外の使用においても、ロウソクの炎を安定して維持することができる。また、構成単位ごとに分解可能に形成されているので、現場での組立や清掃を容易に可能とする。さらに、下蓋３０の空気孔３０ａ１〜３０ａ４，３０ｂ１〜３０ｂ４の貫通方向及び取付位相を異ならせることにより、屋外での炎を、より安定して維持することが可能となる。
【００２１】
なお、本考案の技術的範囲は上述した実施の形態に限定されるものではなく、本考案の要旨に逸脱しない範囲において多様な変更もしくは改良を加え得るものである。例えば、屋外使用のみならず、当然に室内使用のロウソク立てにも適用可能である。
【符号の説明】
【００２２】
１          ロウソク立て
１０        本体
２０        上蓋
３０        下蓋
３０ａ      下蓋上部
３０ａ１〜３０ａ４  空気孔
３０ｂ      下蓋下部
３０ｂ１〜３０ｂ４  空気孔
【図１】
0003225843.tif 000003
【図２】
0003225843.tif 000004